(57)【要約】【課題】電波状態が良くなくても、また、騒音が激しくても、有効性の高い連絡が可能な無線通話装置付きヘルメットを提供する。また、それによって、工事現場等における安全性を高める。【解決手段】複数のヘルメット着用者からなる群に対して特定周波数で送信された電波を受信可能であり、かつ、音声を聞くことができる、少なくとも一つの通話チャンネルを有する無線通話装置付きヘルメットについて、ヘルメット１０の着用時に、着用者の耳の位置にほぼ合致するように、ヘルメット本体１１に設けられた、少なくとも１個のレシーバー１２、１３と、電波を受信するとともに、レシーバー１２、１３へ音声信号を出力するアンプ１４及び送信のためのマイク１６及びアンテナ１５を含む送受信部１７と、送受信部及１７及び付属機器へ電力を供給する電源部とを備えており、送受信部１７に有しているスタンバイスイッチ２０によって、ヘルメット１０の着用者群中の特定者に向けられた通信を受信した特定者、又は、特定者が気付く前に通信を傍受した者によって操作され、操作した者の送受信部だけを切り替えて送信を可能にする。【選択図】          図１
0003118725.tif 000002
【実用新案登録請求の範囲】
【請求項１】
複数のヘルメット着用者からなる群に対して特定周波数で送信された電波を受信可能であり、かつ、音声を聞くことができる、少なくとも一つの通話チャンネルを有する無線通話装置付きヘルメットであって、
ヘルメットの着用時に、着用者の耳の位置にほぼ合致するように、ヘルメット本体に設けられた、少なくとも１個のレシーバーと、電波を受信するとともに、レシーバーへ音声信号を出力するアンプ及び送信のためのマイクを含む送受信部と、送受信部及び付属機器へ電力を供給する電源部とを備えており、
ヘルメットの着用者から成る群中におり、この群に向けられた通信を受信した特定者、又は、特定者が気付く前に通信を傍受した者によって操作され、操作した者の送受信部を切り替えて送信を可能にする、スタンバイスイッチを送受信部に有していることを特徴とする無線通話装置付きヘルメット。
【請求項２】
ヘルメット本体の外面に、スタンバイスイッチが操作されたことを外部の者に知らせる報知灯を有している請求項1記載の無線通話装置付きヘルメット。
【請求項３】
レシーバーは、左右の耳当ての一方に設けられ、耳当ての他方には耳栓又はその他の騒音を減衰させる手段が設けられている請求項1記載の無線通話装置付きヘルメット。
【考案の詳細な説明】
【技術分野】
【０００１】
本考案は、複数のヘルメット着用者からなる群に対して特定周波数で送信された電波を受信可能であり、かつ、音声を聞くことができる、少なくとも一つの通話チャンネルを有する無線通話装置付きヘルメットに関するものである。
【背景技術】
【０００２】
例えば、建設現場等、多数の者が複雑に入り混じって立ち働いている状況では、その中から特定の者を探し出して必要事項を伝えることは困難である。そのための対策として、作業者にトランシーバーを携帯させ、連絡事項を円滑に伝えるために配慮がなされるようになってきた。しかしながら、建設現場等では電波状態が場所によって変化し、作業者も移動するため、連絡事項を伝えるべき者に的確に伝えられるとは限らない。まして、騒音の激しい場所では、なおさらのことである。
【０００３】
これに対して従来、ヘルメットに無線通話装置を組み込むことが試みられ、例えば実開昭６２−６３３８号は、ヘルメット帽体に送受信用回路基板とアンテナを取り付け、耳当て部の内面に、スピーカーとマイクを取り付けた作業用通信ヘルメットを提案している。また、実開昭６３−１０６７２７号は、通信装置及びアンテナと、昇降可能なヘッドフォンと、マイクを防止本体に取り付けた安全帽を提案している。
【０００４】
しかしこれら従来のものは、電波状態が良い状況で有効であることは間違いないが、電波状態の良くない場所や、騒音の激しい場所では有効であるとは限らない。従って、電波状態が良くなくても、また、騒音が激しくても、有効性の高い無線通話装置が望まれることとなる。特に、特小電波と呼ばれる１０ｍＷを超えない比較的弱い出力を使用する安価なトランシーバーではこの要求が強い。
【０００５】
【特許文献１】実開昭６２−６３３８号
【特許文献２】実開昭６３−１０６７２７号
【考案の開示】
【考案が解決しようとする課題】
【０００６】
本考案は以上の点に着目して成されたもので、その課題は、電波状態が良くなくても、また、騒音が激しくても、有効性の高い無線通話装置付きヘルメットを提供することである。また、本考案の他の課題は、工事現場等における安全性を高めることのできる無線通話装置付きヘルメットを提供することである。
【課題を解決するための手段】
【０００７】
前記の課題を解決するため本考案は、複数のヘルメット着用者からなる群に対して特定周波数で送信された電波を受信可能であり、かつ、音声を聞くことができる、少なくとも一つの通話チャンネルを有する無線通話装置付きヘルメットとして、
ヘルメットの着用時に、着用者の耳の位置にほぼ合致するように、ヘルメット本体に設けられた、少なくとも1個のレシーバーと、電波を受信するとともに、レシーバーへ音声信号を出力するアンプ及び送信のためのマイクを含む送受信部と、送受信部及び付属機器へ電力を供給する電源部とを備えるものとし、
ヘルメットの着用者から成る群中におり、この群れに向けられた通信を受信した特定者、又は、特定者が気付く前に通信を傍受した者によって操作され、操作した者の送受信部を切り替えて送信を可能にする、スタンバイスイッチを送受信部に有しているものとする、という手段を講じたものである。
【０００８】
本考案の無線通話装置付きヘルメットでは、一つの群を構成する全てのヘルメットの無線通話装置が、特定周波数で送信された電波を受信可能であり、かつ、音声を聞くことができる、少なくとも一つの通話チャンネルを有する。従って、全てのヘルメットの着用者に一斉に連絡可能な、一斉通話方式の一種であるということができる。また、本考案は、例えば１０ｍＷを超えない比較的小出力の無線通話装置を対象とする。
【０００９】
そのために、無線通話装置としては、着用者の耳の位置にほぼ合致するように、ヘルメット本体に設けられた、少なくとも1個のレシーバーと、電波を受信するとともに、レシーバーへ音声信号を出力するアンプ及び送信のためのマイクを含む送受信部と、送受信部及び付属機器へ電力を供給する電源部とを備えるものである。しかしながら、送信については混信を避けるために、特定の周波数を使用し、かつ、送信者を制限するものとする。
【００１０】
本考案では、送信者を制限する手段として、ヘルメットの着用者群中の特定者に向けられた通信を受信した特定者、又は、特定者が気付く前に通信を傍受した者によって操作され、操作した者の送受信部だけを切り替えて送信を可能にする、スタンバイスイッチを送受信部に備えるものとする。これにより、連絡事項を、特定者に早く伝えることが可能となり、また、特定者が電波を受信しにくい状態にあるために直接受信できなかったとしても、近くにいる傍受者が気付いて、特定者に教えることにより、連絡事項を特定者に的確に伝えられることになる。スタンバイスイッチは、これを操作することにより、操作した者が送信者となり、操作を止めれば受信のみ可能な状態に戻る。
【００１１】
また、ヘルメット本体の外面には、スタンバイスイッチが操作されたことを、操作者以外の者に知らせる報知灯を有するものとする。これにより、誰が受信し発信源になっているかを周囲に明示することができるとともに、送信者に対しては、受信されたことを知らせるフィードバック効果が得られることにもなり、相互のみならず全体の意思疎通を、より向上することができる。
【００１２】
なお、レシーバーは左右両方の耳のためにも二つあった方が良い。しかし騒音対策が必要な場合もあり、その場合には、レシーバーを1個だけとし、他方を耳栓としても良い。また、レシーバーとして、騒音の周波数を検出し、それを打ち消すことができる逆方向の周波数電流を流し、騒音レベルを減衰させる機能を持ったものを使用することも有効である。
【考案の効果】
【００１３】
本考案は上記のように構成され、かつ作用するものであるから、スタンバイスイッチが操作されない通常受信状態では一群のヘルメット着用者全員に一斉に連絡可能であり、スタンバイスイッチが操作されたときには操作したヘルメット着用者による送信を許すという、本考案による通信の約束を実行することができるので、電波状態が良くなくても、また、騒音が激しくても、有効性の高い無線通信が可能となり、また、工事現場等における安全性を一段と高めることのできるという効果を奏する。
【考案を実施するための最良の形態】
【００１４】
以下図示の実施形態を参照し、本考案の無線通話装置付きヘルメット１０を、より詳細に説明する。各図において、１１はヘルメット本体、１２、１３は左右２個のレシーバーであり、ヘルメット着用時に、着用者の耳の位置にほぼ合致するように、ヘルメット本体１１に設けられている。
【００１５】
１４はいわゆるアンプであり、アンテナ１５で受信した電波を増幅するとともに、レシーバー１２、１３へ音声信号を出力する。１６は送信のためのマイク、１７は送受信部であり、上記のレシーバー１２、１３ないしマイク１６を含む。さらに、送受信部１７及び付属機器へ電力を供給する電源部として、ソーラー充電器１８と、バッテリー１９とを備えている。この送受信部１７は、１０ｍＷを超えない比較的小出力のものである。
【００１６】
上記の付属機器には、スタンバイスイッチ２０と、ヘルメット本体１１の外面に、スタンバイスイッチ２０が操作されたことを外部の者に知らせる報知灯２１と、本考案における無線通話装置に電源が入っていることを外部に表示する表示灯２２とを有している。また、スタンバイスイッチ２０は、ヘルメット本体１１のツバ際に配置した押しボタン２３を操作部分として有している。押しボタン２３は押している間だけ、送受信部１７を送信に切り替え、押すのを止めれば逆に切り替わり、受信のみ可能な状態に戻るものとする。２４はヘルメット着用のためのあご紐を示す。
【００１７】
送受信部１７は、図３に示した構成を有しており、受信部２５と、送信部２６とからなる。受信部２５は、アンテナ１５で受信した電波を高周波増幅し、信号対雑音比を高めて混信を改善し、また、局部発信器出力が逆流してアンテナから発射されることを防ぐ高周波増幅器２６、中間周波数を得るために受信周波数との差の発信周波数を混合する混合器２７、感度及び選択度を上げる中間周波増幅器２８、電波信号から音声信号を取り出す変調器２９、音声信号を増幅する音声増幅器３０、を備えており、スピーカーと記載されたレシーバー１２、１３より音声を出力する。送信部２６は、音声を電気出力に変換するマイクロフォン１６、発信機３１ａからの信号を電波信号に変換する周波数変調器３１、信号安定のためのバッファ回路３２、及び増幅器３３、電力増幅器３４、を備えている。
【００１８】
送受信部１７にはスタンバイスイッチ２０が備わっている。スタンバイスイッチ２０はヘルメットの着用者群中の特定者に向けられた通信を受信した特定者、又は、特定者が気付く前に通信を傍受した者によって操作され、操作した者の送受信部だけを切り替えて送信を可能にするために設けられている。また、スタンバイスイッチ２０の操作に応じて切り替わる切り替えスイッチ３５が、送信部２５と、受信部２６とアンテナ１５との切り替えのために設けられている。
【００１９】
このような構成を有する本考案の無線通話装置付きヘルメット１０の作用を、図４について説明する。図４は、ある工事現場の状況を示すもので、５名のヘルメット着用者Ａ、Ｂ、Ｃ、Ｄ、Ｅがおり、これに対して、１人の送信者Ｆがあるものとする。送信者Ｆも本考案の無線通話装置付きヘルメット１０の着用者であるが、押しボタン２３を押して送信者になったときだけは、いわゆる親機の立場になる。送信者Ｆから発射された電波は、建物の柱や梁、壁、或いは階段等の構造体によって反射を繰りして弱められるので、５名のヘルメット着用者Ａ、Ｂ、Ｃ、Ｄ、Ｅに到達する強度はまちまちであり、特に本考案のように比較的小出力の場合にはその傾向が強い。
【００２０】
このようなときに、特定者つまり特定のヘルメット着用者Ｅを呼び出したい場合でも、送信者Ｆから発射された電波は、５名のヘルメット着用者Ａ、Ｂ、Ｃ、Ｄ、Ｅ全員に受信され、かつ着用者Ｅに向けられた音声を聞くことができる。そこで、特定者であるヘルメット着用者Ｅは押しボタン２３を押してスタンバイスイッチ２０を操作し、必要な回答を送信し、かつ周囲にも報知灯２１の点灯により、通話が成立していることを知らせるものである。つまり、このときにはヘルメット着用者Ｅが親機となる。
【００２１】
しかし、状況によっては微弱な電波しか届かない場合があり、例えばヘルメット着用者Ａが特定者で、殆ど受信できない状態である場合、直接Ａを呼び出すことはできないことになる。しかし本考案においては、ヘルメット着用者Ａの近くにおり、かつ、より電波受信状況の良いヘルメット着用者Ｂ又はＣがＡに向けられた通信を傍受し、Ａにそのことを知らせることができる。押しボタン２３から指を離せば、受信状態に戻るので、全員が子機の状態に戻るものである。
【図面の簡単な説明】
【００２２】
【図１】本考案に係る無線通話装置付きヘルメットの一例を示す斜視図。
【図２】図１のものの下面図。
【図３】送受信部とスタンバイスイッチとの関係の一例を示すブロック図。
【図４】本考案に適用可能な側面図と、施工穴Ｃ、Ｄの断面形を示す説明図。
【符号の説明】
【００２３】
１０  本考案に係る無線通話装置付きヘルメット
１１  ヘルメット本体
１２、１３  レシーバー
１４  アンプ
１５  アンテナ
１６  マイクロフォン
１７  送受信部
１８  ソーラー充電器
１９  バッテリー
２０  スタンバイスイッチ
２１  報知灯
２２  表示灯
２３  押しボタン
２４  あご紐
２５  受信部
２６  送信部
３５  切り替えスイッチ３５
【図１】
0003118725.tif 000003
【図２】
0003118725.tif 000004
【図３】
0003118725.tif 000005
【図４】
0003118725.tif 000006